(57)【要約】【課題】  所望のユーザ（人）に対するリマインダを実現する。【解決手段】  メモリ内のリマインダリストに、リマインダの対象となる所望のユーザのユーザ名と、この所望のユーザが所有している携帯機器の携帯電話番号やＭＡＣアドレス等の固有の機器情報と、この所望のユーザに対する用件を登録しておく。次に、近距離無線通信ユニットを介して、周辺のユーザの携帯機器と通信を行い、該周辺のユーザの携帯機器の固有の機器情報を取得し、この取得した機器情報がリマインダリストに登録されている場合に、この取得した機器情報に対応するユーザ名及び用件をリマインダリストから読み出して表示部に表示すると共に、発光部を点滅制御し、所定の電子音を出力制御し、バイブレーションユニットを振動駆動する等のリマインダ制御を行う。これにより、所望のユーザが近くに居る場合にリマインダを発動させて用件等を伝えることを可能とすることができる。【選択図】  図１
2009134409.tif 000002
【特許請求の範囲】
【請求項１】
近距離無線通信を行うことで、当該近距離無線通信の通信相手の機器の機器に関する情報を取得する近距離無線通信手段と、
少なくとも所望のユーザの機器に関する情報、及び該所望のユーザに対する用件を示す用件情報とが関連付けされて記憶されたリマインダリストと、
所定の報知動作を行うための報知手段と、
上記リマインダリストに記憶されている上記用件情報を表示するための表示手段と、
上記近距離無線通信手段が近距離無線通信を行うことで取得した上記通信相手の機器の機器に関する情報に基づいて上記リマインダリストを参照し、該リマインダリストに上記取得した通信相手の機器の機器に関する情報が記憶されていた場合、所定の報知動作を行うように上記報知手段を報知制御すると共に、上記機器に関する情報に関連付けされて記憶されている上記用件情報を上記リマインダリストから読み出して上記表示手段に表示制御する制御手段と
を有するリマインダ装置。
【請求項２】
請求項１に記載のリマインダ装置であって、
上記報知手段による報知動作の取り消し、及び上記表示手段に表示された用件情報の表示取り消しを指定操作するための取り消し操作手段を有し、
上記制御手段は、上記取り消し操作手段を介して上記報知動作の取り消し及び上記用件情報の表示取り消しが指定された場合、当該報知動作を停止するように上記報知手段を制御し、上記表示している上記用件情報を非表示とするように上記表示手段を制御すると共に、上記リマインダリスト上における、当該報知動作の取り消し及び用件情報の表示取り消しを行った上記機器に関する情報に対して取り消しフラグを付し、上記近距離無線通信手段で上記通信相手の機器の機器に関する情報が取得された際に、この取得された機器に関する情報に対する上記取り消しフラグの有無を上記リマインダリストから検出し、該取得された機器に関する情報に対して上記取り消しフラグが付されていない場合に、上記報知動作を行うように上記報知手段を制御すると共に、上記用件情報を表示するように上記表示手段を表示制御すること
を特徴とするリマインダ装置。
【請求項３】
請求項１又は請求項２に記載のリマインダ装置であって、
現在時刻をカウントするタイマを有し、
上記リマインダリストには、上記所望のユーザの機器に関する情報、及び上記所望のユーザに対する用件を示す用件情報と共に、リマインダの実行を許可する期間を示す期間情報が記憶されており、
上記制御手段は、上記近距離無線通信手段で取得された上記通信相手の機器の機器に関する情報に基づいて上記リマインダリストを参照した際に、この機器に関する情報に対応する上記期間情報が該リマインダリストに記憶されていた場合、上記タイマから現在時刻を取得し、この取得した現在時刻が、上記期間情報で示される時間的範囲内であった場合に、上記報知動作を行うように上記報知手段を制御すると共に、上記用件情報を表示するように上記表示手段を表示制御すること
を特徴とするリマインダ装置。
【請求項４】
請求項３に記載のリマインダ装置であって、
現在位置を検出する現在位置検出手段を有し、
上記リマインダリストには、上記所望のユーザの機器に関する情報、上記所望のユーザに対する用件を示す用件情報、及び上記リマインダの実行を許可する期間を示す期間情報と共に、上記リマインダの実行を許可する地理的範囲を示す地理的範囲情報が記憶されており、
上記制御手段は、上記近距離無線通信手段で取得された上記通信相手の機器の機器に関する情報に基づいて上記リマインダリストを参照した際に、この機器に関する情報に対応する上記期間情報、及び上記地理的範囲情報が該リマインダリストに記憶されていた場合、上記タイマから現在時刻を取得すると共に、上記現在位置検出手段から現在位置を取得し、上記取得した現在時刻が上記期間情報で示される時間的範囲内であり、かつ、上記取得した現在位置が上記地理的範囲情報で示される地理的範囲内であった場合に、上記報知動作を行うように上記報知手段を制御すると共に、上記用件情報を表示するように上記表示手段を表示制御すること
を特徴とするリマインダ装置。
【請求項５】
近距離無線通信手段が近距離無線通信を行うことで、当該近距離無線通信の通信相手の機器の機器に関する情報を取得するステップと、
上記ステップで取得した上記通信相手の機器の機器に関する情報に基づいて、制御手段が、少なくとも所望のユーザの機器に関する情報、及び該所望のユーザに対する用件を示す用件情報とが関連付けされて記憶されたリマインダリストを参照し、該リマインダリストに上記取得した通信相手の機器の機器に関する情報が記憶されていた場合、所定の報知動作を行うように報知手段を報知制御すると共に、上記機器に関する情報に関連付けされて記憶されている上記用件情報を上記リマインダリストから読み出して上記表示手段に表示制御するステップと
を有するリマインダ方法。
【請求項６】
近距離無線通信を行うことで、当該近距離無線通信の通信相手の機器の機器に関する情報を取得するように近距離無線通信手段を制御する近距離無線通信制御手段としてコンピュータを機能させ、
コンピュータを上記近距離無線通信制御手段として機能させることで取得された上記通信相手の機器の機器に関する情報に基づいて、少なくとも所望のユーザの機器に関する情報、及び該所望のユーザに対する用件を示す用件情報とが関連付けされて記憶されたリマインダリストを参照し、該リマインダリストに上記取得した通信相手の機器の機器に関する情報が記憶されていた場合、所定の報知動作を行うように報知手段を報知制御すると共に、上記機器に関する情報に関連付けされて記憶されている上記用件情報を上記リマインダリストから読み出して表示するように表示手段を表示制御する制御手段としてコンピュータを機能させること
を特徴とするリマインダプログラム。
【請求項７】
近距離無線通信を行うことで、当該近距離無線通信の通信相手の機器の機器に関する情報を取得する近距離無線通信手段と、
少なくとも所望のユーザの機器に関する情報、及び該所望のユーザに対する用件を示す用件情報とが関連付けされて記憶されたリマインダリストと、
所定の報知動作を行うための報知手段と、
上記リマインダリストに記憶されている上記用件情報を表示するための表示手段と、
上記近距離無線通信手段が近距離無線通信を行うことで取得した上記通信相手の機器の機器に関する情報に基づいて上記リマインダリストを参照し、該リマインダリストに上記取得した通信相手の機器の機器に関する情報が記憶されていた場合、所定の報知動作を行うように上記報知手段を報知制御すると共に、上記機器に関する情報に関連付けされて記憶されている上記用件情報を上記リマインダリストから読み出して上記表示手段に表示制御する制御手段と
を有する携帯端末装置。
【発明の詳細な説明】
【技術分野】
【０００１】
本発明は、例えばブルートゥース（登録商標）やＷ−ＬＡＮ（Wireless Local Area Network）等の近距離無線通信ユニットを備えた携帯電話機、ＰＨＳ電話機（PHS：Personal Handyphone System）、ＰＤＡ装置（PDA：Personal Digital Assistant）、携帯ゲーム機、ノート型のパーソナルコンピュータ装置等の携帯機器に適用して好適なリマインダ装置、リマインダ方法、リマインダプログラム、及び携帯端末装置に関し、特にリマインダリストに登録されたユーザの携帯機器を近距離無線通信機能を介して検出した際に所定の報知動作を行うことで、言わば人に基づくリマインダ機能を実現可能としたリマインダ装置、リマインダ方法、リマインダプログラム、及び携帯端末装置に関する。
【背景技術】
【０００２】
今日において広く普及している携帯電話機やＰＤＡ装置（PDA：Personal Digital Assistant）等の携帯機器には、スケジュール管理を行うためのスケジューラ機能が設けられているものも多い。このスケジューラ機能は、ユーザーにより、会合、打ち合わせ、食事会等の所望のスケジュールのスケジュール名、開始時刻、終了時刻等が入力され、例えば開始時刻の１０分前等の報知時刻設定がなされると、タイマからの計時情報に基づいて現在時刻を監視する。そして、当該現在時刻が上記報知時刻となったタイミングで、アラームの鳴動、バイブレーションユニットの振動駆動、発光部の点滅駆動等のリマインダ制御を行い、スケジュールの開始時刻が近づいていることをユーザに報知する。このようなリマインダ機能は、ユーザにより設定された報知時刻と現在時刻とに基づいて行う、言わば「時間に基づくリマインダ機能」と言えるものである。
【０００３】
次に、特開２００２−２０８８９０号の公開特許公報（特許文献１）に、場所に基づいてリマインダを行う電子装置が開示されている。この電子装置の場合、所望のタスクを示すタスク情報と、当該タスク情報に対応する所望の場所情報とが関連付けされて常駐メモリに記憶されている。そして、例えばＧＰＳセンサ（GPS：Global Positioning System）等の位置決定システムで実時間に検出した場所情報と、常駐メモリに記憶されている場所情報とが一致した際に、リマインダを発動させ、当該場所情報に関連付けされているタスクをユーザに報知する。これにより、ユーザの現在位置に基づいたリマインダ機能を実現することができる。このようなリマインダ機能は、ユーザにより設定された所望の場所と現在位置している場所とに基づいて行う、言わば「場所に基づくリマインダ機能」と言える。
【０００４】
【特許文献１】特開２００２−２０８８９０号公報（第５頁〜第７頁、図３）
【発明の開示】
【発明が解決しようとする課題】
【０００５】
ここで、例えば友人に伝言したい用件があるが、実際にその友人に会ったときに、その用件を伝言することを忘れてしまい、該友人に対して用件の伝言を行ったのが数日後になってしまった等の失敗を経験した人も少なくないであろう。
【０００６】
しかし、上述の「時間に基づくリマインダ機能」や特許文献１に開示されている「場所に基づくリマインダ機能」では、このような友人に会った際に報知を行う等の人に基づくリマインダ機能の実現は困難である。
【０００７】
本発明は、上述の課題に鑑みてなされたものであり、人に基づくリマインダ機能を実現するリマインダ装置、リマインダ方法、リマインダプログラム、及び携帯端末装置の提供を目的とする。
【課題を解決するための手段】
【０００８】
本発明に係るリマインダ装置は、上述の課題を解決するための手段として、
近距離無線通信を行うことで、当該近距離無線通信の通信相手の機器の機器に関する情報を取得する近距離無線通信手段と、
少なくとも所望のユーザの機器に関する情報、及び該所望のユーザに対する用件を示す用件情報とが関連付けされて記憶されたリマインダリストと、
所定の報知動作を行うための報知手段と、
上記リマインダリストに記憶されている上記用件情報を表示するための表示手段と、
上記近距離無線通信手段が近距離無線通信を行うことで取得した上記通信相手の機器の機器に関する情報に基づいて上記リマインダリストを参照し、該リマインダリストに上記取得した通信相手の機器の機器に関する情報が記憶されていた場合、所定の報知動作を行うように上記報知手段を報知制御すると共に、上記機器に関する情報に関連付けされて記憶されている上記用件情報を上記リマインダリストから読み出して上記表示手段に表示制御する制御手段と
を有する。
【０００９】
また、本発明に係るリマインダ方法は、上述の課題を解決するための手段として、
近距離無線通信手段が近距離無線通信を行うことで、当該近距離無線通信の通信相手の機器の機器に関する情報を取得するステップと、
上記ステップで取得した上記通信相手の機器の機器に関する情報に基づいて、制御手段が、少なくとも所望のユーザの機器に関する情報、及び該所望のユーザに対する用件を示す用件情報とが関連付けされて記憶されたリマインダリストを参照し、該リマインダリストに上記取得した通信相手の機器の機器に関する情報が記憶されていた場合、所定の報知動作を行うように報知手段を報知制御すると共に、上記機器に関する情報に関連付けされて記憶されている上記用件情報を上記リマインダリストから読み出して上記表示手段に表示制御するステップと
を有する。
【００１０】
また、本発明に係るリマインダプログラムは、上述の課題を解決するために、
近距離無線通信を行うことで、当該近距離無線通信の通信相手の機器の機器に関する情報を取得するように近距離無線通信手段を制御する近距離無線通信制御手段としてコンピュータを機能させ、
コンピュータを上記近距離無線通信制御手段として機能させることで取得された上記通信相手の機器の機器に関する情報に基づいて、少なくとも所望のユーザの機器に関する情報、及び該所望のユーザに対する用件を示す用件情報とが関連付けされて記憶されたリマインダリストを参照し、該リマインダリストに上記取得した通信相手の機器の機器に関する情報が記憶されていた場合、所定の報知動作を行うように報知手段を報知制御すると共に、上記機器に関する情報に関連付けされて記憶されている上記用件情報を上記リマインダリストから読み出して表示するように表示手段を表示制御する制御手段としてコンピュータを機能させる。
【００１１】
また、本発明に係る携帯端末装置は、上述の課題を解決するための手段として、
近距離無線通信を行うことで、当該近距離無線通信の通信相手の機器の機器に関する情報を取得する近距離無線通信手段と、
少なくとも所望のユーザの機器に関する情報、及び該所望のユーザに対する用件を示す用件情報とが関連付けされて記憶されたリマインダリストと、
所定の報知動作を行うための報知手段と、
上記リマインダリストに記憶されている上記用件情報を表示するための表示手段と、
上記近距離無線通信手段が近距離無線通信を行うことで取得した上記通信相手の機器の機器に関する情報に基づいて上記リマインダリストを参照し、該リマインダリストに上記取得した通信相手の機器の機器に関する情報が記憶されていた場合、所定の報知動作を行うように上記報知手段を報知制御すると共に、上記機器に関する情報に関連付けされて記憶されている上記用件情報を上記リマインダリストから読み出して上記表示手段に表示制御する制御手段と
を有する。
【００１２】
このような本発明は、リマインダリストに、少なくとも所望のユーザの機器に関する情報、及び該所望のユーザに対する用件を示す用件情報とが関連付けされて記憶されており、制御手段は、近距離無線通信手段により取得された通信相手の機器の機器に関する情報に基づいて上記リマインダリストを参照する。そして、リマインダリストに上記取得した通信相手の機器の機器に関する情報が記憶されていた場合、所定の報知動作を行うように上記報知手段を報知制御すると共に、上記機器に関する情報に関連付けされて記憶されている上記用件情報を上記リマインダリストから読み出して上記表示手段に表示制御することで、所望のユーザに基づくリマインダ機能を実現する。
【発明の効果】
【００１３】
本発明は、少なくとも所望のユーザの機器に関する情報、及び該所望のユーザに対する用件を示す用件情報とを関連付けてリマインダリストに記憶しておき、近距離無線通信手段を介して取得した通信相手の機器の機器に関する情報が上記リマインダリストに記憶されていた場合に、報知手段を介して所定の報知動作を行うと共に、上記機器に関する情報に関連付けされてリマインダリストに記憶されている用件情報を表示手段に表示する。これにより、所望のユーザに基づくリマインダ機能を実現することができる。
【発明を実施するための最良の形態】
【００１４】
本発明は、ブルートゥース（登録商標）やＷ−ＬＡＮ（Wireless Local Area Network）等の近距離無線通信ユニットを有する携帯電話機に適用することができる。
【００１５】
［携帯電話機の構成］
この本発明を適用した実施の形態となる携帯電話機は、図１に示すように無線基地局との間で音声通話、テレビ電話通話、電子メール、Ｗｅｂデータ（Web：World Wide Web）等の無線通信を行うアンテナ１及び通信回路２と、操作メニュー、電子メール、画像（静止画像及び動画像）や後述するリマインダ機能に基づく用件情報等を表示するための表示部３と、所望のメニューの選択操作や後述するリマインダリストに対する入力操作等を行うための操作部４と、受話音声等を出力するためのスピーカ部５と、送話音声等を集音するためのマイクロホン部６と、所望の被写体の静止画像や動画像を撮像するためのカメラ部７と、発着信等を光でユーザに通知するための発光部８（LED：Light Emitting Diode）とを有している。
【００１６】
また、この携帯電話機は、当該携帯電話機の筐体を振動させて発着信等をユーザに通知するためのバイブレーションユニット９と、現在時刻をカウントするタイマ１０と、例えば数十メートルの通信距離で近距離無線通信を行うための近距離無線通信アンテナ１１及び近距離無線通信ユニット１２と、当該携帯電話機の現在位置を検出するＧＰＳアンテナ１３（GPS：Global Positioning System）及びＧＰＳユニット１４と、無線基地局を介した無線通信処理を行うためのコミュニケーションプログラムや各種アプリケーションプログラムの他、これら各アプリケーションプログラムで取り扱われる各種データ（コンテンツ）等が記憶されたメモリ１５と、当該携帯電話機全体の動作を制御する制御部１６とを有している。
【００１７】
メモリ１５には、上記コミュニケーションプログラムの他、所望のユーザに基づくリマインダ機能を実現するためのリマインダプログラムと、電子メールの作成や送受信を制御するための電子メール管理プログラムと、カメラ部７の撮像制御を行うカメラ制御プログラムと、ユーザのスケジュールが登録されたスケジュール帳の管理を行うためのスケジュール帳管理プログラムと、電話帳の管理を行うための電話帳管理プログラムと、音楽コンテンツの再生を行うための音楽プレーヤプログラムと、所望のＷｅｂページの閲覧を行うためのＷｅｂブラウジングプログラムとが記憶されている。
【００１８】
また、メモリ１５には、ユーザの所望のスケジュールが登録されるスケジュール帳と、ユーザの知人や友人等のユーザ名、静止画像（顔写真等）、住所、電話番号、電子メールアドレス、生年月日等が登録された電話帳と、音楽プレーヤプログラムに基づいて再生される音楽コンテンツと、カメラ制御プログラムのビューワ機能に基づいて再生される静止画像コンテンツ及び動画像コンテンツと、送受信された電子メールコンテンツと、電話及び電子メールの発着信履歴と、リマインダ機能に基づく報知動作の対象となるユーザのユーザ名や当該ユーザが所有する携帯機器の機器情報等が記憶されたリマインダリスト等が記憶されている。
【００１９】
〔リマインダリストの構成〕
メモリ１５に記憶されているリマインダリストには、図２に示すようにリマインダの対象となるユーザの「ユーザ名」、当該ユーザが所有する携帯電話機、ＰＤＡ装置、ノート型のパーソナルコンピュータ装置等の固有の「機器情報」、当該ユーザに対する用件を示す「用件情報」、当該用件を実行する所望の時間的範囲である期間を示す「期間情報」、当該用件を実行する地理的範囲や場所を示す「地理的範囲情報」、当該ユーザに対するリマインダ機能を実行した際に、当該携帯電話機のユーザにより、この実行したリマインダ機能の取り消し操作がなされた際に「１」のフラグが立つ「取り消しフラグ」、及び当該ユーザに対するリマインダ機能を実行した際に、当該携帯電話機のユーザにより、この実行したリマインダ機能の停止操作がなされた際に「１」のフラグが立つ「報知済みフラグ」が記憶されている。
【００２０】
［リマインダ機能］
次に、このような構成を有する当該実施の形態の携帯電話機のリマインダ機能を説明する。この実施の形態の携帯電話機においてリマインダ機能を実行する場合、まず、上述のリマインダリストに対して、リマインダの実行対象となる所望のユーザのユーザ名や用件等を登録する。
【００２１】
〔リマインダリストに対する登録〕
リマインダリストに対して所望のユーザのユーザ名や用件等を登録する場合、当該携帯電話機のユーザは、メモリ１５に記憶されているリマインダプログラムを起動操作する。当該携帯電話機の制御部１６は、この起動操作がなされると、上記リマインダプログラムに基づいて、リマインダ対象の登録メニューと、リマインダの実行開始メニューを表示部３に表示制御する。そして、ユーザにより上記リマインダ対象の登録メニューが選択操作されると、「ユーザ名」、「機器情報」、「用件」、「期間」、及び「場所」の各入力欄を備えた入力画面を表示部３に表示制御する。
【００２２】
当該携帯電話機のユーザは、「ユーザ名」の入力欄に対しては、例えば図２に示すようにユーザＡ、ユーザＢ等のリマインダの対象となる所望のユーザ名を操作部４を介して入力する。また、「機器情報」の入力欄に対しては、リマインダの対象となるユーザが所有している携帯機器の固有の機器識別情報を入力する。一例ではあるが、この機器識別情報としては、図２に示すように「０９０−００００−１１１１」、「０８０−００００−２２２２」等の携帯電話番号や「０４−Ａ３−４３−５Ｆ−４３−２３」、「３２：６１：３Ｃ：４Ｅ：Ｂ６：０５」等のＭＡＣアドレス（MAC：Media Access Control address）の入力を行う。
【００２３】
機器識別情報として携帯電話番号の入力を行う場合、ユーザは操作部４を介して直接的に入力するか、或いは入力元としてメモリ１５の電話帳を指定し、この電話帳に登録されている各ユーザの携帯電話番号のうち、リマインダの対象となるユーザの携帯電話番号を選択する。この選択がなされると、制御部１６は、当該選択された携帯電話番号を上記「機器情報」の入力欄に自動的に入力する。
【００２４】
また、機器識別情報としてＭＡＣアドレスの入力を行う場合、リマインダの対象となるユーザから取得したＭＡＣアドレスを、操作部４を介して直接的に入力するか、或いは事前にリマインダの対象となるユーザの携帯機器と近距離無線通信を行うことで、その携帯機器のＭＡＣアドレスを予め取得してメモリ１５の電話帳等に登録しておき、当該リマインダリストに対する登録を行う際に、この電話帳等に登録しておいたＭＡＣアドレスを上記「機器情報」の入力欄に入力してもよい。
【００２５】
次に、当該携帯電話機のユーザは、「用件」の入力欄に対しては、例えば図２に示すように「プレゼントを渡す」、「本を返す」、「伝言を伝える」等、各ユーザに対応する用件の入力を行う。この用件の入力がなされると、制御部１６は、当該入力された用件に対応するテキスト情報をリマインダリストに登録する。
【００２６】
次に、当該携帯電話機のユーザは、「期間」の入力欄に対しては、例えば図２に示すように「１月１日〜３月３１日」、「８月１日」、「８月３日 １５時〜１７時」等のように、リマインダを実行する時間的範囲を入力する。
【００２７】
また、「場所」の入力欄に対しては、リマインダを実行する地理的範囲を入力する。具体的には、当該実施の形態の携帯電話機の場合、「住所」、「郵便番号」、「市外局番」、「緯度及び経度」のいずれかを入力することで、この地理的範囲の入力が可能となっており、また、表示部３に表示した地図上の所望の位置、或いは範囲を指定することでも、この地理的範囲の入力が可能となっている。
【００２８】
当該携帯電話機の制御部１６は、この「場所」の入力欄に対して「住所」の入力がなされた場合、例えば「東京都港区港南○丁目○番○号」等のユーザにより入力されたテキスト情報をリマインダリストに登録すると共に、例えばメモリ１５に記憶されている地図情報、或いはネットワークを介して所定のＷｅｂサイトから取得した地図情報に基づいて、この入力された住所に対応する緯度及び経度を検出し、この緯度情報及び経度情報をリマインダリストに登録する。
【００２９】
また、「場所」の入力欄に対して「郵便番号」の入力がなされた場合、例えば「１０８−○○○○」等のユーザにより入力されたテキスト情報をリマインダリストに登録すると共に、例えばメモリ１５に記憶されている地図情報、或いはネットワークを介して所定のＷｅｂサイトから取得した地図情報に基づいて、この入力された郵便番号に対応する地理的範囲に対応する緯度及び経度を検出し、この緯度情報及び経度情報をリマインダリストに登録する。
【００３０】
また、「場所」の入力欄に対して「市外局番」の入力がなされた場合、例えば「０４５」等のユーザにより入力されたテキスト情報をリマインダリストに登録すると共に、例えばメモリ１５に記憶されている地図情報、或いはネットワークを介して所定のＷｅｂサイトから取得した地図情報に基づいて、この入力された市外局番に対応する地理的範囲に対応する緯度及び経度を検出し、この緯度情報及び経度情報をリマインダリストに登録する。
【００３１】
また、「場所」の入力欄に対して「緯度及び経度」の入力がなされた場合、例えば「北緯３５度４０分、東経１３９度４６分」等のユーザにより入力されたテキスト情報をリマインダリストに登録すると共に、この入力された緯度及び経度を示す緯度情報及び経度情報をリマインダリストに登録する。
【００３２】
また、「場所」の入力時において、ユーザにより、例えばメモリ１５に記憶されている地図情報、或いはネットワークを介して所定のＷｅｂサイトから取得した地図情報が表示部４上に表示操作され、この表示された地図上の所望の地理的範囲が指定操作された場合、制御部１６は、この指定操作された地理的範囲を示す、例えば「品川区内」等の地域名等を上記地図情報に基づいて検出し、この検出した地域名等に対応するテキスト情報をリマインダリストに登録すると共に、この指定操作された地理的範囲に対応する緯度及び経度を上記地図情報から検出し、この緯度情報及び経度情報をリマインダリストに登録する。
【００３３】
〔リマインダの実行動作〕
次に、リマインダリストに対して所望のユーザのユーザ名や用件等の登録がなされると、当該携帯電話機の制御部１６は、このリマインダリストに登録されたユーザ（人）に基づくリマインダを実行制御する。図３及び図４のフローチャートに、このリマインダの実行制御の流れを示す。なお、図３及び図４の２つのフローチャートでリマインダの実行制御の一連の流れを示しており、図３のフローチャートはリマインダの実行制御の前半の流れを、図４のフローチャートはリマインダの実行制御の後半の流れを、それぞれ示している。
【００３４】
当該携帯電話機の制御部１６は、メイン電源の投入を制御部１６が検出した際に、メモリ１５に記憶されているリマインダプログラムに基づいて、この図３及び図４のフローチャートに示す処理をスタートさせ、或いは、ユーザにより上記リマインダプログラムが起動操作された際に、このリマインダプログラムに基づいて、この図３及び図４のフローチャートに示す処理をスタートさせる。
【００３５】
まず、図３のフローチャートのステップＳ１では、制御部１６が、近距離無線通信ユニット１２を起動制御して、機器探索信号（インクワイヤリ信号）を発信するように該近距離無線通信ユニット１２を制御する。なお、この機器探索信号の発信制御は連続的に行ってもよいし、所定時間置きに間欠的に行ってもよい。間欠的に行う場合には、消費電力の削減を図ることができる。
【００３６】
当該携帯電話機の周囲数十メートルの通信範囲内に位置している携帯機器は、この機器探索信号を受信すると、当該携帯機器のＭＡＣアドレスや携帯電話番号等の固有の機器情報を含む反応信号を返信する。当該携帯電話機の制御部１６は、ステップＳ２において、近距離無線通信ユニット１２を介してこの反応信号を受信したか否かを判別し、反応信号を受信していない場合は処理をステップＳ１に戻し、引き続き機器探索信号を発信するように、近距離無線通信ユニット１２を制御する。また、近距離無線通信ユニット１２を介して反応信号を受信した場合には、処理をステップＳ３に進め、この受信した反応信号に含まれる上記ＭＡＣアドレスや携帯電話番号等の固有の機器情報を検出し、処理をステップＳ４に進める。
【００３７】
ステップＳ４では、制御部１６が、検出した上記ＭＡＣアドレスや携帯電話番号等の固有の機器情報に基づいてリマインダリストを参照することで、上記取得した固有の機器情報に対応するユーザがリマインダリストに登録されているか否かを判別する。上記取得した固有の機器情報に対応するユーザがリマインダリストに登録されていないものと判別した場合、制御部１６は、当該固有の機器情報に対応するユーザはリマインダの対象とはなっていないため、処理をステップＳ１に戻し、再度、当該ステップＳ１〜ステップＳ４の処理を繰り返し実行制御することで、リマインダの対象となっているユーザが所有する携帯機器の探索を行う。
【００３８】
これに対して、上記取得した固有の機器情報に対応するユーザがリマインダリストに登録されているものと判別した場合、制御部１６は、処理をステップＳ５に進め、リマインダリストを参照することで、上記取得した固有の機器情報のユーザに対する、リマインダの取り消しフラグが立っているか否かを判別する。具体的には、当該実施の形態の携帯電話機の場合、発動したリマインダに対してユーザが停止操作を行うか、或いは取り消し操作を行うことで、該発動したリマインダを停止させるようになっている。上記停止操作は、当該携帯電話機のユーザが、発動したリマインダにより、リマインダの対象となっているユーザに対する用件を認識したうえで、該発動しているリマインダを停止させる際に行う操作である。また、上記取り消し操作は、当該携帯電話機のユーザが、例えばリマインダの発動前に、このリマインダの対象となっているユーザに対する用件を済ませてしまい、この用件を済ませた後に発動したリマインダを停止させる際（＝取り消す際）に行う操作である。
【００３９】
制御部１６は、発動したリマインダに対してユーザにより上記停止操作がなされた場合、図２に示すリマインダリストに報知済みフラグを立て、発動したリマインダに対してユーザにより取り消し操作がなされた場合、図２に示すリマインダリストに取り消しフラグを立てる。上記ステップＳ５では、これら各フラグのうち、取り消しフラグがリマインダリストに立っているか否かを制御部１６が判別し、取り消しフラグが立っているということは、そのユーザに対するリマインダは既に取り消し済みであることを意味するため、リマインダの対象となっている他のユーザに対してリマインダを行うべく、処理をステップＳ１に戻し、再度、当該ステップＳ１〜ステップＳ５の処理を繰り返し実行制御する。
【００４０】
これに対して、上記ステップＳ５において、取り消しフラグが立っていないものと判別した場合、制御部１６は、処理をステップＳ６に進め、上記報知済みフラグがリマインダリストに立っているか否かを判別する。報知済みフラグが立っているということは、そのユーザに対するリマインダは既に済んでおり、当該携帯電話機のユーザも認識していることを意味するため、リマインダの対象となっている他のユーザに対してリマインダを行うべく、処理をステップＳ１に戻し、再度、当該ステップＳ１〜ステップＳ５の処理を繰り返し実行制御する。
【００４１】
次に、リマインダリストに対して上記取り消しフラグ及び上記報知済みフラグが立っていないということは、上記ステップＳ３で検出した機器情報に対応するユーザに対してリマインダを行っていないことを意味するため、制御部１６は、図４のフローチャートのステップＳ７に処理を進め、リマインダリストを参照することで、そのユーザのリマインダに対する期間指定がなされているか否かを判別する。期間指定がなされていない場合、制御部１６は、処理をステップＳ８に進め、期間指定がなされている場合、制御部１６は、処理をステップＳ１３に進め、タイマ１０から現在時刻を取得すると共に、この取得した現在時刻が、当該携帯電話機のユーザにより指定された期間内であるか否かを判別する。タイマ１０から取得した現在時刻が、当該携帯電話機のユーザにより指定された期間内ではないということは、リマインダを行う時刻ではないことを意味するため、制御部１６は、リマインダの対象となっている他のユーザに対してリマインダを行うべく、処理を図３のフローチャートのステップＳ１に戻し、再度、当該ステップＳ１〜ステップＳ７の処理を繰り返し実行制御する。これに対して、タイマ１０から取得した現在時刻が、当該携帯電話機のユーザにより指定された期間内であると判別した場合、制御部１６は、上記ステップＳ３で検出した機器情報に対応するユーザに対してリマインダを行うべく、処理をステップＳ８に進める。
【００４２】
ステップＳ８では、制御部１６が、リマインダリストを参照することで、そのユーザのリマインダに対する場所指定がなされているか否かを判別する。場所指定がなされていない場合、制御部１６は、処理をステップＳ９に進め、場所指定がなされている場合、制御部１６は、処理をステップＳ１４に進め、ＧＰＳユニット１４を起動して、当該携帯電話機の現在位置を取得すると共に、この取得した現在位置が、当該携帯電話機のユーザにより指定された地理的範囲内であるか否かを判別する。
【００４３】
ＧＰＳユニット１４から取得した当該携帯電話機の現在位置が、当該携帯電話機のユーザにより指定された地理的範囲内ではないということは、リマインダを行う場所ではないことを意味するため、制御部１６は、リマインダの対象となっている他のユーザに対してリマインダを行うべく、処理を図３のフローチャートのステップＳ１に戻し、再度、当該ステップＳ１〜ステップＳ８の処理を繰り返し実行制御する。これに対して、ＧＰＳユニット１４から取得した現在位置が、当該携帯電話機のユーザにより指定された地理的範囲内であると判別した場合、制御部１６は、処理をステップＳ９に進める。
【００４４】
ステップＳ９では、リマインダを行うタイミングであるため、制御部１６は、上記ステップＳ３で検出した機器情報に対応するユーザのユーザ名、及び用件をリマインダリストから読み出し、このユーザ名及び用件を、例えば図５に示すように表示部３に表示制御すると共に、発光部８を点滅或いは点灯制御し、所定の電子音をスピーカ部５を介して出力し、また、バイブレーションユニット９を振動駆動するリマインダ制御を行い、処理をステップＳ１０に進める。なお、この図５に示す表示例は、「ユーザＡに対してプレゼントを渡す」というリマインダが発動された際の表示例である。当該携帯電話機のユーザは、この発動されたリマインダにより、例えばユーザＡが近くに居ることを認識することができる。そして、この近くに居るユーザＡに対して、プレゼントを渡す等の用件を実行することができる。
【００４５】
次に、当該携帯電話機のユーザは、このようにリマインダが発動されると、上述の取り消し操作、或いは停止操作を行うことで、該発動されたリマインダを停止させることとなる。制御部１６は、ステップＳ１０では上記取り消し操作の有無を、ステップＳ１１では上記停止操作の有無を、それぞれ判別する。そして、取り消し操作、或いは停止操作を検出するまでの間、リマインダの発動制御を継続して実行し、取り消し操作を検出した場合は処理をステップＳ１５に進め、停止操作を検出した場合は処理をステップＳ１２に進める。
【００４６】
取り消し操作を検出することで処理をステップＳ１５に進めると、制御部１６は、表示部３に表示しているユーザ名及び用件を非表示制御し、発光部８を消灯制御し、スピーカ部５を介して出力している所定の電子音を非出力制御すると共に、振動駆動しているバイブレーションユニット９を振動停止制御する（＝リマインダ動作を停止する。）。そして、図２に示したようにリマインダリスト上の対応するユーザに対して取り消しフラグを立て、リマインダの対象となっている他のユーザに対してリマインダを行うべく、処理を図３のフローチャートのステップＳ１に戻し、再度、上述の各処理を繰り返し実行する。
【００４７】
また、停止操作を検出することで処理をステップＳ１２に進めると、制御部１６は、表示部３に表示しているユーザ名及び用件を非表示制御し、発光部８を消灯制御し、スピーカ部５を介して出力している所定の電子音を非出力制御すると共に、振動駆動しているバイブレーションユニット９を振動停止制御する（＝リマインダ動作を停止する。）。そして、図２に示したようにリマインダリスト上の対応するユーザに対して報知済みフラグを立て、リマインダの対象となっている他のユーザに対してリマインダを行うべく、処理を図３のフローチャートのステップＳ１に戻し、再度、上述の各処理を繰り返し実行する。
【００４８】
制御部１６は、このような図３及び図４のフローチャートに示した処理を、当該携帯電話機のメイン電源がオフ操作されるまでの間、或いはリマインダプログラムの実行終了操作がなされるまでの間、繰り返し実行する。
【００４９】
［実施の形態の効果］
以上の説明から明らかなように、この実施の形態の携帯電話機は、メモリ１５内のリマインダリストに、リマインダの対象となる所望のユーザのユーザ名と、この所望のユーザが所有している携帯機器の携帯電話番号やＭＡＣアドレス等の固有の機器情報と、この所望のユーザに対する用件を登録しておく。そして、近距離無線通信ユニット１２を介して、周辺のユーザの携帯機器と通信を行うことで、該周辺のユーザの携帯機器の固有の機器情報を取得し、この取得した機器情報がリマインダリストに登録されている場合に、この取得した機器情報に対応するユーザ名及び用件をリマインダリストから読み出して表示部３に表示すると共に、発光部８を点滅或いは点灯制御し、所定の電子音をスピーカ部５を介して出力制御し、バイブレーションユニット９を振動駆動する等のリマインダ制御を行う。これにより、所望のユーザが近くに居る場合にリマインダを発動させて用件等を伝えることを可能とすることができ、所望のユーザ（人）に対するリマインダを実現することができる。
【００５０】
また、リマインダリストにリマインダを行う時間的範囲である期間を登録しておくことで、制御部１６は、現在時刻が、この登録されている時間的範囲内となった際に、上述のリマインダを実行制御する。これにより、所望の期間における所望のユーザ（人）に対してリマインダを実行することができる。
【００５１】
また、リマインダリストにリマインダを行う地理的範囲である場所を登録しておくことで、制御部１６は、当該携帯電話機の現在位置が、この登録されている地理的範囲内となった際に、上述のリマインダを実行制御する。これにより、所望の場所における所望のユーザ（人）に対してリマインダを実行することができる。
【００５２】
［変形例］
上述の実施の形態の説明では、本発明を携帯電話機に適用することとしたが、本発明は、この他、例えばブルートゥース（登録商標）やＷ−ＬＡＮ（Wireless Local Area Network）等の近距離無線通信ユニットを備えたＰＨＳ電話機（PHS：Personal Handyphone System）、ＰＤＡ装置（PDA：Personal Digital Assistant）、携帯ゲーム機、ノート型のパーソナルコンピュータ装置等の携帯機器に適用してもよい。いずれの場合でも、上述と同じ効果を得ることができる。
【００５３】
最後に、上述の実施の形態は、本発明の一例である。このため、本発明は上述の実施の形態に限定されることはなく、本発明に係る技術的思想を逸脱しない範囲であれば、設計等に応じて種々の変更が可能であることは勿論であることを付け加えておく。
【図面の簡単な説明】
【００５４】
【図１】本発明を適用した実施の形態となる携帯電話機のブロック図である。
【図２】実施の形態の携帯電話機のメモリに記憶されているリマインダリストの模式図である。
【図３】実施の形態の携帯電話機のリマインダ実行動作の前半の流れを示すフローチャートである。
【図４】実施の形態の携帯電話機のリマインダ実行動作の後半の流れを示すフローチャートである。
【図５】実施の形態の携帯電話機におけるリマインダ実行時における表示例を示す図である。
【符号の説明】
【００５５】
１  アンテナ、２  通信回路、３  表示部、４  操作部、５  スピーカ部、６  マイクロホン部、７  カメラ部、８  発光部（ＬＥＤ）、９  バイブレーションユニット、１０  タイマ、１１  近距離無線通信アンテナ、１２  近距離無線通信ユニット、１３  ＧＰＳアンテナ、１４  ＧＰＳユニット、１５  メモリ、１６  制御部
【図１】
2009134409.tif 000003
【図２】
2009134409.tif 000004
【図３】
2009134409.tif 000005
【図４】
2009134409.tif 000006
【図５】
2009134409.tif 000007